(57)【要約】【課題】室内からの新たな配線を要せずに外部機器を子機に直接接続できるようにする。【解決手段】訪問者が居住者を呼び出し通話するための子機１と、子機に接続され、訪問者の呼び出しに対して応答し通話するための親機２と、子機に接続され、親機からの電源供給によって動作する指紋照合装置や電気錠解錠装置などの外部機器とから構成され、親機は、時分割多重で電源や音声信号の伝送に使用されていない空きチャンネルを用いることにより子機との制御信号、データ信号の送受信等の通信を行う時分割多重回路３２ａを備え、子機は、時分割多重で電源や音声信号の伝送に使用されていない空きチャンネルを用いることにより親機との制御信号、データ信号の送受信等の通信を行う時分割多重回路１６ａを備えている。【選択図】図１
2004207954.tif 000002
【特許請求の範囲】
【請求項１】
訪問者が居住者を呼び出し通話するための子機（１）と、前記子機に接続され、訪問者の前記呼び出しに対して応答し通話するための親機（２）と、前記子機に接続され、前記親機からの電源供給によって動作する指紋照合装置や電気錠解錠装置などの外部機器（３）とから構成され、
前記親機は、時分割多重若しくは周波数分割多重で電源や音声信号の伝送に使用されていない空きチャンネルを用いることにより前記子機との制御信号、データ信号の送受信等の通信を行う時分割多重回路（３２ａ）若しくは周波数分割多重回路（３２ｂ）を備え、
前記子機は、時分割多重若しくは周波数分割多重で電源や音声信号の伝送に使用されていない空きチャンネルを用いることにより前記親機との制御信号、データ信号の送受信等の通信を行う時分割多重回路（１６ａ）若しくは周波数分割多重回路（１６ｂ）を備えていることを特徴とするインターホンシステム。
【請求項２】
訪問者が居住者を呼び出し通話するとともに訪問者を撮像するための子機(１)と、前記子機に接続され、訪問者の前記呼び出しに対して応答し通話するとともに撮像された画像を表示するための親機(２)と、前記子機に接続され、前記親機からの電源供給によって動作する指紋照合装置や電気錠解錠装置などの外部機器（３）とから構成され、
前記親機は、時分割多重若しくは周波数分割多重で電源や音声信号の伝送に使用されていない空きチャンネルを用いることにより前記子機との制御信号、データ信号の送受信等の通信を行う時分割多重回路（３２ａ）若しくは周波数分割多重回路（３２ｂ）を備え、
前記子機は、時分割多重若しくは周波数分割多重で電源、音声信号、訪問者を撮像するためのカメラを制御する制御信号および映像信号の伝送に使用されていない空きチャンネルを用いることにより前記親機との制御信号、データ信号の送受信等の通信を行う時分割多重回路（１６ａ）若しくは周波数分割多重回路（１６ｂ）を備えていることを特徴とするインターホンシステム。
【請求項３】
前記外部機器は、電気錠（６１）を解錠するために電気錠暗証番号を入力するための暗証解錠ボタン(４)と、前記暗証解錠ボタンからの入力によって受信した暗証番号データと予め登録された暗証番号データを比較し一致した場合または前記親機で解錠操作が行なわれた場合に前記電気錠を解錠させる電気錠コントローラ(５)とから構成されることを特徴とする請求項１または請求項２記載のインターホンシステム。
【請求項４】
前記外部機器は、前記親機の操作によって受領証を発行する宅配ロッカー装置(７)から構成されることを特徴とする請求項１または請求項２記載のインターホンシステム。
【請求項５】
前記外部機器は、電気錠（６１）を解錠するために指紋を入力するための指紋認証リーダ(８)と、前記指紋認証リーダからの入力によって受信した指紋データと予め登録された指紋データを比較し一致した場合または前記親機で解錠操作が行なわれた場合に前記電気錠を解錠させる電気錠コントローラ(５)とから構成されることを特徴とする請求項１または請求項２記載のインターホンシステム。
【請求項６】
前記外部機器は、電気錠（６１）を解錠するために指紋を入力するための指紋認証リーダ(８)と、前記電気錠を解錠させるための電気錠コントローラ(５)とから構成され、
前記親機には、有線通信とインターネット(１０)を介して接続され、前記指紋認証リーダからの入力によって受信した指紋データと予め登録された指紋データを比較し一致したことを前記電気錠コントローラに通知するための専用サーバ(１１)を備えたことを特徴とする請求項１または請求項２記載のインターホンシステム。
【請求項７】
前記外部機器は、前記子機を中継機として直列に接続されることを特徴とする請求項１または請求項２記載のインターホンシステム。
【請求項８】
前記外部機器は、前記子機を中継機として並列に接続されることを特徴とする請求項１または請求項２記載のインターホンシステム。
【発明の詳細な説明】
【０００１】
【発明の属する技術分野】
本発明はインターホンシステムに係り、特に子機と親機間の有線伝送路における時分割多重若しくは周波数分割多重で、電源や音声信号の伝送に使用されていないチャンネルを使用することで、電気錠の暗証解錠ボタンなどの玄関周りの外部機器の制御信号を室内からの新たな配線なしで送信可能となるインターホンシステムに関する。
【０００２】
【従来の技術】
従来から、玄関周りに設置される電気錠の暗証解錠ボタンなどの外部機器を接続できるインターホン装置やインターホンシステムがあった（例えば、特許文献１参照）。
【０００３】
この特許文献１には、居室親機、居室親機に接続されたドアホン子機および暗証番号入力装置から構成され、居室親機が居室内に、ドアホン子機および暗証番号入力装置が電気錠付玄関ドアの近傍にそれぞれ設置され、このドアホン子機および暗証番号入力装置が隣接されているインターホン装置や、ドアホン子機およびドアホン子機に接続される居室親機から構成され、これらドアホン子機および居室親機が電気錠コントローラに接続され、この電気錠コントローラが電気錠付玄関ドアの電気錠に接続されているインターホン装置が開示されている。
【０００４】
【特許文献１】特開平２０００−２７０１１１号公報  （第２−３頁、第１図、第３図）
【０００５】
【発明が解決しようとする課題】
しかしながら、このような従来のインターホン装置では、玄関周りの外部機器である暗証番号入力装置や電気錠コントローラを設置する場合、当該暗証番号入力装置や当該電気錠コントローラからの制御信号を送信するために、室内の親機から新たな配線を行う必要があった。
【０００６】
本発明は、このような従来の難点を解決するためになされたもので、子機と親機間で使用されている既存の有線伝送路において、時分割多重若しくは周波数分割多重で、電源や音声信号の伝送に使用されていない空きチャンネルを使用して玄関周りの外部機器を制御するための制御信号等や当該外部機器からの制御信号等を伝送することにより、室内からの新たな配線を要せずに外部機器を子機に直接接続することができるインターホンシステムを提供することを目的とする。
【０００７】
【課題を解決するための手段】
上記目的を達成する本発明のインターホンシステムは、訪問者が居住者を呼び出し通話するための子機と、子機に接続され、訪問者の呼び出しに対して応答し通話するための親機と、子機に接続され、親機からの電源供給によって動作する指紋照合装置や電気錠解錠装置などの外部機器とから構成され、親機は、時分割多重若しくは周波数分割多重で電源や音声信号の伝送に使用されていない空きチャンネルを用いることにより子機との制御信号、データ信号の送受信等の通信を行う時分割多重回路若しくは周波数分割多重回路を備え、子機は、時分割多重若しくは周波数分割多重で電源や音声信号の伝送に使用されていない空きチャンネルを用いることにより親機との制御信号、データ信号の送受信等の通信を行う時分割多重回路若しくは周波数分割多重回路を備えているものである。
【０００８】
このようなインターホンシステムによれば、子機に接続されている外部機器から制御信号、データ信号が出力されると、子機の時分割多重回路若しくは周波数分割多重回路がその制御信号、データ信号を、電源や音声信号の伝送に使用されていない空きチャンネルに割り当て親機へ多重伝送する。親機は、この多重伝送されてくる多重化された信号から、外部機器からの制御信号、データ信号を取り出してその情報を居住者が認識可能になるように処理する。また、親機で生成された制御信号、データ信号は当該親機の時分割多重回路若しくは周波数分割多重回路がその制御信号、データ信号を、電源や音声信号の伝送に使用されていない空きチャンネルに割り当て子機へ多重伝送する。子機は、この多重伝送されてくる多重化された信号から、親機からの制御信号、データ信号を取り出してその情報を居住者が認識可能になるように処理したり、外部機器に送信したりする。
【０００９】
また、上記目的を達成する本発明のインターホンシステムは、訪問者が居住者を呼び出し通話するとともに訪問者を撮像するための子機と、子機に接続され、訪問者の呼び出しに対して応答し通話するとともに撮像された画像を表示するための親機と、子機に接続され、親機からの電源供給によって動作する指紋照合装置や電気錠解錠装置などの外部機器とから構成され、親機は、時分割多重若しくは周波数分割多重で電源や音声信号の伝送に使用されていない空きチャンネルを用いることにより子機との制御信号、データ信号の送受信等の通信を行う時分割多重回路若しくは周波数分割多重回路を備え、子機は、時分割多重若しくは周波数分割多重で電源、音声信号、訪問者を撮像するためのカメラを制御する制御信号および映像信号の伝送に使用されていない空きチャンネルを用いることにより親機との制御信号、データ信号の送受信等の通信を行う時分割多重回路若しくは周波数分割多重回路を備えているものである。
【００１０】
このようなインターホンシステムによれば、子機に接続されている外部機器から制御信号、データ信号が出力されると、子機の時分割多重回路若しくは周波数分割多重回路がその制御信号、データ信号を、電源、音声信号、訪問者を撮影するためのカメラを制御する制御信号および映像信号の伝送に使用されていない空きチャンネルに割り当て親機へ多重伝送する。親機は、この多重伝送されてくる多重化された信号から、外部機器からの制御信号、データ信号を取り出してその情報を居住者が認識可能になるように処理する。また、親機で生成された制御信号、データ信号は当該親機の時分割多重回路若しくは周波数分割多重回路がその制御信号、データ信号を、電源や音声信号の伝送に使用されていない空きチャンネルに割り当て子機へ多重伝送する。子機は、この多重伝送されてくる多重化された信号から、親機からの制御信号、データ信号を取り出してその情報を居住者が認識可能になるように処理したり、外部機器に送信したりする。
【００１１】
また、本発明のインターホンシステムにおいて、外部機器は、電気錠を解錠するために電気錠暗証番号を入力するための暗証解錠ボタンと、暗証解錠ボタンからの入力によって受信した暗証番号データと予め登録された暗証番号データを比較し一致した場合または親機で解錠操作が行なわれた場合に電気錠を解錠させる電気錠コントローラとから構成されるものである。
【００１２】
このようなインターホンシステムによれば、暗証解錠ボタンから暗証番号データの信号が子機へ伝送されると、子機はそのデータ信号を電気錠コントローラに伝送するので、電気錠コントローラはそのデータ信号と予め登録された暗証番号データを比較し一致した場合には電気錠を解錠させる。また、親機で解錠操作が行なわれた場合には、親機の時分割多重回路若しくは周波数分割多重回路が電気錠を解錠させる制御信号を、使用されていない空きチャンネルに割り当て子機へ多重伝送し、子機は、多重伝送されてくる多重化された信号から、電気錠を解錠させる制御信号を取り出して電気錠コントローラに送信するので、電気錠コントローラは電気錠を解錠させることができる。
【００１３】
また、本発明のインターホンシステムにおいて、外部機器は、親機の操作によって受領証を発行する宅配ロッカー装置から構成されるものである。
【００１４】
このようなインターホンシステムによれば、宅配ロッカー装置から着荷情報の信号が出力されると、子機の時分割多重回路若しくは周波数分割多重回路がその着荷信号を、使用されていない空きチャンネルに割り当て親機へ多重伝送し、親機は、多重伝送されてくる多重化された信号から、宅配ロッカー装置からの着荷信号を取り出して当該宅配ロッカー装置に着荷されていることを報知する。居住者がこの着荷情報を確認して、例えば親機が備えた受領証ボタンを押下すると、この受領証信号を使用されていない空きチャンネルに割り当て子機へ多重伝送し、子機は、多重伝送されてくる多重化された信号から、宅配ロッカー装置が有する受領証部を駆動させる受領証信号を取り出して宅配ロッカー装置に送信するので、その受領証部から受領証を発行することができる。
【００１５】
また、本発明のインターホンシステムにおいて、外部機器は、電気錠を解錠するために指紋を入力するための指紋認証リーダと、指紋認証リーダからの入力によって受信した指紋データと予め登録された指紋データを比較し一致した場合または親機で解錠操作が行なわれた場合に電気錠を解錠させる電気錠コントローラとから構成されるものである。
【００１６】
このようなインターホンシステムによれば、指紋認証リーダから指紋データの信号が子機へ伝送されると、子機はそのデータ信号を電気錠コントローラに伝送するので、電気錠コントローラはそのデータ信号と予め登録された指紋データを比較し一致した場合には電気錠を解錠させる。また、親機で解錠操作が行なわれた場合には、親機の時分割多重回路若しくは周波数分割多重回路が電気錠を解錠させる制御信号を、使用されていない空きチャンネルに割り当て子機へ多重伝送し、子機は、多重伝送されてくる多重化された信号から、電気錠を解錠させる制御信号を取り出して電気錠コントローラに送信するので、電気錠コントローラは電気錠を解錠させることができる。
【００１７】
また、本発明のインターホンシステムにおいて、外部機器は、電気錠を解錠するために指紋を入力するための指紋認証リーダと、電気錠を解錠させるための電気錠コントローラとから構成され、親機には、有線通信とインターネットを介して接続され、指紋認証リーダからの入力によって受信した指紋データと予め登録された指紋データを比較し一致したことを電気錠コントローラに通知するための専用サーバを備えたものである。
【００１８】
このようなインターホンシステムによれば、指紋認証リーダから指紋データの信号が出力されると、子機の時分割多重回路若しくは周波数分割多重回路がそのデータ信号を、使用されていない空きチャンネルに割り当て親機へ多重伝送し、親機は、多重伝送されてくる多重化された信号から、指紋認証リーダからの指紋データの信号を取り出し有線通信とインターネットを介して専用サーバに伝送し、専用サーバはその指紋データと予め登録された指紋データと比較し、一致した場合には一致した旨の信号をインターネットと有線通信を介して親機に伝送するので、当該親機の時分割多重回路若しくは周波数分割多重回路が電気錠を解錠させる制御信号を、使用されていない空きチャンネルに割り当て子機へ多重伝送し、子機は、多重伝送されてくる多重化された信号から、電気錠を解錠させる制御信号を取り出して電気錠コントローラに送信するので、電気錠コントローラは電気錠を解錠させることができる。
【００１９】
また、本発明のインターホンシステムにおいて、外部機器は、子機を中継機として直列に接続されるものである。これにより、信号線となる有線伝送路の線路長を短くできると共に、渡り配線が可能となる。
【００２０】
また、本発明のインターホンシステムにおいて、外部機器は、子機を中継機として並列に接続されるものである。これにより、複数の外部機器からの各信号を個別に伝送できるので、信号を伝送するための回路構成を簡素化できる。
【００２１】
【発明の実態の形態】
以下、本発明のインターホンシステムにおけるその好ましい実施の形態例について図面を参照して詳述する。
【００２２】
本発明のインターホンシステムは図２に示すように、訪問者が居住者を呼び出し通話するとともに訪問者を撮像するための子機１と、子機１に接続され、訪問者の呼び出しに対して応答し通話するとともに撮像された画像を表示するための親機２と、子機１に接続され、親機２からの電源供給によって動作する指紋照合装置や電気錠解錠装置などの外部機器３とから構成されている。
【００２３】
親機２は図１に示すように、親機インターフェイス２１（以下、「親機Ｉ／Ｆ２１」とする。）、スピーカ２２、マイク２３、デジタルビデオコーデック２４、ＪＰＥＧコーデック２５、ＣＰＵ２６、ＲＡＭ２７、各種操作ボタン２８（以下、「Ｉ／Ｏ２８」とする。）、ＲＯＭ２９、ＬＡＮ接続端子３０、呼出検出回路３１、電源回路３３および画像表示部３４から構成されている。
【００２４】
子機１に伝送路Ｌ１を介して接続するための親機Ｉ／Ｆ２１には、ＣＰＵ２６、呼出検出回路３１およびデジタルビデオコーデック２４が接続され、ＣＰＵ２６には、スピーカ２２、マイク２３、デジタルビデオコーデック２４、ＪＰＥＧコーデック２５、ＲＡＭ２７、Ｉ／Ｏ２８、ＲＯＭ２９、ＬＡＮ接続端子３０および画像表示部３４が接続されている。また、親機Ｉ／Ｆ２１に接続された呼出検出回路３１はＣＰＵ２６に接続され、ＣＰＵ２６に接続されたデジタルビデオコーデック２４はＪＰＥＧコーデック２５に接続され、このＪＰＥＧコーデック２５はＣＰＵ２６に接続されたＲＡＭ２７に接続されている。なお、電源回路３３は、親機２の構成各部へ電源を供給できるように、当該構成各部に接続されている。
【００２５】
また、親機Ｉ／Ｆ２１は、時分割多重で電源や音声信号の伝送に使用されていない空きチャンネルを用いることにより子機１との制御信号、データ信号の送受信等の通信を行う時分割多重回路３２ａを備えている。
【００２６】
子機１は、子機インターフェイス１１（以下、「子機Ｉ／Ｆ１１」とする。）、カメラ１２、スピーカ１３、マイク１４、呼出ボタン１５および電源回路１７から構成されている。
【００２７】
親機２に伝送路Ｌ１を介して接続するための子機Ｉ／Ｆ１１には、カメラ１２、スピーカ１３、マイク１４、呼出ボタン１５および電源回路１７が接続され、さらに外部機器３を接続するための外部機器用接続端子Ｔ１１〜Ｔ１４が接続されている。
【００２８】
また、子機Ｉ／Ｆ１１は、時分割多重で電源、音声信号、訪問者を撮像するためのカメラ１２を制御する制御信号および映像信号の伝送に使用されていない空きチャンネルを用いることにより親機２との制御信号、データ信号の送受信等の通信を行う時分割多重回路１６ａを備えている。
【００２９】
このように構成されたインターホンシステムの動作について、具体的な外部機器を用いて説明する。
【００３０】
実施例１
実施例１においては図３に示すように、外部機器３（図２）は、扉６に設けられた電気錠６１を解錠するために電気錠暗証番号を入力するための暗証解錠ボタン４と、暗証解錠ボタン４からの入力によって受信した暗証番号データと予め登録された暗証番号データを比較し一致した場合または親機２で解錠操作が行われた場合に電気錠６１を解錠させる電気錠コントローラ５とから構成されている。
【００３１】
暗証解錠ボタン４は、例えば子機１の外部機器用接続端子Ｔ１１に接続され、電気錠コントローラ５は例えば子機１の外部機器用接続端子Ｔ１２に接続され、電気錠コントローラ５は扉６に設けられた電気錠６１に接続されている。
【００３２】
このようなインターホンシステムにおいて、訪問者が子機１の呼出ボタン１５を押下すると、呼出信号が子機Ｉ／Ｆ１１、伝送路Ｌ１および親機Ｉ／Ｆ２１を経由して呼出検出回路３１へ伝送される。この呼出信号がＣＰＵ２６で検出されると、ＣＰＵ２６の制御により、親機２の電源回路３３から子機１に動作電源が供給される。この動作電源の供給により、子機１を構成する各部（回路）が能動状態とされ、カメラ１２で撮像された訪問者の画像であるアナログ画像信号が子機Ｉ／Ｆ１１によりデジタル画像信号に変換され、伝送路Ｌ１、親機Ｉ／Ｆ２１およびデジタルビデオコーデック２４を介してＪＰＥＧコーデック２５に伝送される。デジタル画像信号はＪＰＥＧコーデック２５で圧縮されＲＡＭ２７に保存される。このＲＡＭ２７に保存されたデジタル画像信号はＲＯＭ２９に読み出され、このカメラ１２で撮像された訪問者の映像であるデジタル映像信号はＲＯＭ２９からＣＰＵ２６に送信され、ＣＰＵ２６はこのデジタル映像信号をアナログ映像信号に変換して画像表示部３４に送信するので、当該画像表示部３４にはカメラ１２で撮像された訪問者の映像が出画される。
【００３３】
また、これとともに、子機１のマイク１４で集音された音声のアナログ信号が子機Ｉ／Ｆ１１によりデジタル音声信号に変換され、伝送路Ｌ１および親機Ｉ／Ｆ２１を経由してＣＰＵ２６に伝送され、このデジタル音声信号はＣＰＵ２６でアナログ音声信号に変換されて親機２のスピーカ２２から放音される。また、親機２のマイク２３で集音された音声のアナログ信号がＣＰＵ２６でデジタル音声信号に変換され、親機Ｉ／Ｆ２１および伝送路Ｌ１を経由して子機Ｉ／Ｆ１１に伝送され、このデジタル音声信号は子機Ｉ／Ｆ１１でアナログ音声信号に変換されて子機１のスピーカ１３から放音される。
【００３４】
このような状態において、暗証解錠ボタン４から暗証番号データのアナログ信号が出力されると、このアナログ暗証番号データ信号は外部機器用接続端子Ｔ１１を介して子機１が有する子機Ｉ／Ｆ１１に送信され、子機Ｉ／Ｆ１１はそのアナログ暗証番号データ信号を外部機器用接続端子Ｔ１２を介して電気錠コントローラ５に送信する。電気錠コントローラ５はその暗証番号データと予め登録された暗証番号データを比較し一致した場合には、解錠信号を電気錠６１に送信するので、電気錠６１は解錠される。
【００３５】
また、親機２のＩ／Ｏ２８の解錠ボタンで解錠操作が行われると、解錠ボタン２８からアナログ解除信号がＣＰＵ２６に送信され、ＣＰＵ２６がアナログ解除信号をデジタル解除信号に変換して親機Ｉ／Ｆ２１に送信する。親機Ｉ／Ｆ２１の時分割多重回路３２ａは、このデジタル解除信号を、使用されていない空きチャネルに割り当てフレームに組込み伝送路Ｌ１を介して子機１の子機Ｉ／Ｆ１１に伝送する。子機Ｉ／Ｆ１１の時分割多重回路１６ａは、このフレームからデジタル解除信号を取り出しアナログ解除信号に変換して、外部機器用接続端子Ｔ１２を介して電気錠コントローラ５に送信するので、電気錠コントローラ５は電気錠６１を解錠させることができる。
【００３６】
実施例２
実施例２においては図４に示すように、外部機器３（図２）は、親機２の操作によって受領証を発行する宅配ロッカー装置７から構成されている。宅配ロッカー装置７は、例えば外部機器用接続端子Ｔ１１に接続されている。
【００３７】
このようなインターホンシステムにおいて、宅配ロッカー装置７から着荷情報のアナログ信号が出力されると、このアナログ着荷情報信号は外部機器用接続端子Ｔ１１を介して子機１が有する子機Ｉ／Ｆ１１に送信され、子機Ｉ／Ｆ１１はアナログ着荷情報信号をデジタル着荷情報信号に変換し時分割多重回路１６ａで、使用されていない空きチャネルに割り当てフレームに組込み伝送路Ｌ１を介して親機２の親機Ｉ／Ｆ２１に伝送する。親機Ｉ／Ｆ２１の時分割多重回路３２ａはこのフレームからデジタル着荷情報信号を取り出してＣＰＵ２６に送信する。ＣＰＵ２６はこのデジタル着荷情報信号をアナログ着荷情報信号に変換してスピーカ２２等から報知する。
【００３８】
居住者がこの着荷情報を確認して、親機２のＩ／Ｏ２８の受領証ボタンを押下すると、受領証ボタン２８からアナログ受領証信号がＣＰＵ２６に送信され、ＣＰＵ２６がアナログ受領証信号をデジタル受領証信号に変換して親機Ｉ／Ｆ２１に送信する。親機Ｉ／Ｆ２１の時分割多重回路３２ａは、このデジタル受領証信号を、使用されていない空きチャネルに割り当てフレームに組込み伝送路Ｌ１を介して子機１の子機Ｉ／Ｆ１１に伝送する。子機Ｉ／Ｆ１１の時分割多重回路１６ａは、このフレームからデジタル受領証信号を取り出しアナログ受領証信号に変換して、外部機器用接続端子Ｔ１１を介して宅配ロッカー装置７に送信するので、宅配ロッカー装置７が有する受領証部（図示せず）が駆動されその受領証部から受領証が発行される。
【００３９】
なお、呼び出し、通話、カメラ機能は、実施例１と同じなので、説明は省略する。
【００４０】
実施例３
実施例３においては図５に示すように、外部機器３（図２）は、扉６に設けられた電気錠６１を解錠するために指紋を入力するための指紋認証リーダ８と、指紋認証リーダ８からの入力によって受信した指紋データと予め登録された指紋データを比較し一致した場合または親機２で解錠操作が行われた場合に電気錠６１を解錠させる電気錠コントローラ５とから構成されている。
【００４１】
指紋認証リーダ８は、例えば外部機器用接続端子Ｔ１１に接続され、電気錠コントローラ５は例えば外部機器用接続端子Ｔ１２に接続され、電気錠コントローラ５は電気錠６１に接続されている。
【００４２】
このようなインターホンシステムにおいて、指紋認証リーダ８で指紋を入力して指紋データのアナログ信号が出力されると、このアナログ指紋データ信号は外部機器用接続端子Ｔ１１を介して子機１が有する子機Ｉ／Ｆ１１に送信され、子機Ｉ／Ｆ１１はそのアナログ指紋データ信号を外部機器用接続端子Ｔ１２を介して電気錠コントローラ５に送信する。電気錠コントローラ５はその指紋データと予め登録された指紋データを比較し一致した場合には、解錠信号を電気錠６１に送信するので、電気錠６１は解錠される。
【００４３】
また、親機２のＩ／Ｏ２８の解錠ボタンで解錠操作が行われると、解錠ボタン２８からアナログ解除信号がＣＰＵ２６に送信され、ＣＰＵ２６がアナログ解除信号をデジタル解除信号に変換して親機Ｉ／Ｆ２１に送信する。親機Ｉ／Ｆ２１の時分割多重回路３２ａは、このデジタル解除信号を、使用されていない空きチャネルに割り当てフレームに組込み伝送路Ｌ１を介して子機１の子機Ｉ／Ｆ１１に伝送する。子機Ｉ／Ｆ１１の時分割多重回路１６ａは、このフレームからデジタル解除信号を取り出しアナログ解除信号に変換して、外部機器用接続端子Ｔ１２を介して電気錠コントローラ５に送信するので、電気錠コントローラ５は電気錠６１を解錠させることができる。
【００４４】
なお、呼び出し、通話、カメラ機能は、実施例１と同じなので、説明は省略する。
【００４５】
実施例４
実施例４においては図６に示すように、外部機器３（図２）は、電気錠６１を解錠するために指紋を入力するための指紋認証リーダ８と、電気錠６１を解錠させるための電気錠コントローラ５とから構成され、親機２のＬＡＮ接続端子３０には、有線通信とインターネット１０を介して接続され、指紋認証リーダ８からの入力によって受信した指紋データと予め登録された指紋データを比較し一致したことを電気錠コントローラ５に通知するための専用サーバ１１を備えている。
【００４６】
指紋認証リーダ８は、例えば外部機器用接続端子Ｔ１１に接続され、電気錠コントローラ５は例えば外部機器用接続端子Ｔ１２に接続され、電気錠コントローラ５は電気錠６１に接続されている。
【００４７】
このようなインターホンシステムにおいて、指紋認証リーダ８で指紋を入力して指紋データのアナログ信号が出力されると、このアナログ指紋データ信号は外部機器用接続端子Ｔ１１を介して子機１が有する子機Ｉ／Ｆ１１に送信され、子機Ｉ／Ｆ１１はアナログ指紋データ信号をデジタル指紋データ信号に変換し時分割多重回路１６ａで、使用されていない空きチャネルに割り当てフレームに組込み伝送路Ｌ１を介して親機２の親機Ｉ／Ｆ２１に伝送する。親機Ｉ／Ｆ２１の時分割多重回路３２ａはこのフレームからデジタル指紋データ信号を取り出してＣＰＵ２６に送信する。ＣＰＵ２６はこのデジタル指紋データ信号をインターネット１０用の信号に変換してＬＡＮ接続端子３０から有線通信とインターネット１０を介して専用サーバ１１に伝送し、専用サーバ１１はその指紋データと予め登録された指紋データと比較し、一致した場合には一致した旨の信号をインターネット１０と有線通信を介して親機２に伝送する。親機２のＬＡＮ接続端子３０を介してＣＰＵ２６に入力した一致した旨の信号は、ＣＰＵ２６からデジタル解除信号として親機Ｉ／Ｆ２１に送信される。親機Ｉ／Ｆ２１の時分割多重回路３２ａは、このデジタル解除信号を、使用されていない空きチャネルに割り当てフレームに組込み伝送路Ｌ１を介して子機１の子機Ｉ／Ｆ１１に伝送する。子機Ｉ／Ｆ１１の時分割多重回路１６ａは、このフレームからデジタル解除信号を取り出しアナログ解除信号に変換して、外部機器用接続端子Ｔ１２を介して電気錠コントローラ５に送信するので、電気錠コントローラ５は電気錠６１を解錠させることができる。
【００４８】
なお、呼び出し、通話、カメラ機能は、実施例１と同じなので、説明は省略する。
【００４９】
また、上述した実施の形態例においては、子機１の子機Ｉ／Ｆ１１は時分割多重回路１６ａ、親機２の親機Ｉ／Ｆ２１は時分割多重回路３２ａがそれぞれ備えられていたが、これに限らず、子機１の子機Ｉ／Ｆ１１に、周波数分割多重で電源、音声信号、訪問者を撮像するためのカメラ１２を制御する制御信号および映像信号の伝送に使用されていない空きチャンネルを用いることにより親機２との制御信号、データ信号の送受信等の通信を行う周波数分割多重回路１６ｂを備え、親機２の親機Ｉ／Ｆ２１に、周波数分割多重で電源や音声信号の伝送に使用されていない空きチャンネルを用いることにより子機１との制御信号、データ信号の送受信等の通信を行う周波数分割多重回路３２ｂを備えてもよい。
【００５０】
この周波数分割多重回路１６ｂ、３２ｂは、デジタル伝送による時分割多重回路１６ａ、３２ａと異なりアナログ伝送なので、図７に示すように、電源、音声信号、データ信号、映像信号や、外部機器３と親機２との通信として用いられる制御信号、データ信号である拡張信号を異なる周波数に変更して伝送し、これを受信側でフィルタによって分別する。これにより、時分割多重回路１６ａ、３２ａと同様に、室内からの新たな配線を要せずに外部機器３を子機１に直接接続することができるようになる。なお、子機１から伝送されるカメラ１２で撮像された訪問者の画像であるアナログ画像信号はデジタルビデオコーデック２４でデジタル画像信号に変換される。
【００５１】
また、本発明のインターホンシステムは子機１にカメラ１２が、親機２に画像表示部３４が設けられていないシステムでも、同様の効果を得ることができる。
【００５２】
このような本発明のインターホンシステムにおいては、外部機器３は、図８に示すように、子機１を中継機として直列に接続されていてもよく、また、子機１を中継機として並列に接続されていてもよい。外部機器３が直列に接続されていることにより、信号線となる有線伝送路の線路長を短くできると共に、渡り配線が可能となり、また、図９に示すように、外部機器３が並列に接続されていることにより、複数の外部機器からの各信号を個別に伝送できるので、信号を伝送するための回路構成を簡素化できる。
【００５３】
【発明の効果】
以上の説明から明らかなように、本発明のインターホンシステムによれば、子機と親機間で使用されている既存の有線伝送路において、時分割多重若しくは周波数分割多重で電源や音声信号の伝送に使用されていない空きチャンネルを使用して玄関周りの外部機器を制御するための制御信号を伝送することにより、室内の親機からの新たな配線を要せずに外部機器を子機に直接接続することができる。
【図面の簡単な説明】
【図１】本発明のインターホンシステムにおけるその好ましい実施の形態例を示すブロック図。
【図２】本発明のインターホンシステムの具体的な実施例を示す構成図。
【図３】本発明のインターホンシステムの具体的な実施例を示す構成図。
【図４】本発明のインターホンシステムの具体的な実施例を示す構成図。
【図５】本発明のインターホンシステムの具体的な実施例を示す構成図。
【図６】本発明のインターホンシステムの具体的な実施例を示す構成図。
【図７】本発明のインターホンシステムによる周波数分割多重における拡張信号の多重化を示す説明図。
【図８】本発明のインターホンシステムにおけるその好ましい他の実施の形態例を示す構成図。
【図９】本発明のインターホンシステムにおけるその好ましい他の実施の形態例を示す構成図。
【符号の説明】
１・・・・・子機
２・・・・・親機
３・・・・・外部機器
４・・・・・暗証解錠ボタン
５・・・・・電気錠コントローラ
６・・・・・電気錠
７・・・・・宅配ロッカー装置
８・・・・・指紋認証リーダ
１０・・・・・インターネット
１１・・・・・専用サーバ
１６ａ・・・・・時分割多重回路
１６ｂ・・・・・周波数分割多重回路
３２ａ・・・・・時分割多重回路
３２ｂ・・・・・周波数分割多重回路
【図１】
2004207954.tif 000003
【図２】
2004207954.tif 000004
【図３】
2004207954.tif 000005
【図４】
2004207954.tif 000006
【図５】
2004207954.tif 000007
【図６】
2004207954.tif 000008
【図７】
2004207954.tif 000009
【図８】
2004207954.tif 000010
【図９】
2004207954.tif 000011